(57)【要約】【課題】薬剤情報や服用の日付等の印刷スペースを広く確保し、ＰＴＰシートの取り付けも容易であり、安全に使用可能な包装用台紙とＰＴＰシート包装体を提供する。【解決手段】薬剤１８を収容し一面が開口した中空の突出部１６を有したＰＴＰシート１４が取り付けられ、突出部１６が嵌合する透孔２０を有する。ＰＴＰシート１４の封止材を覆うように表示ラベル２２を備える。表示ラベル２２の外側面には、薬剤１８に関する情報が表示され、ＰＴＰシート１４の突出部１６と対向する位置の表示ラベル２２に破断線２４が形成され、表示ラベル２２の裏面側には粘着剤を有する。表示ラベル２２の粘着剤が設けられた面の一部を除いて、剥離が容易な剥離紙２６が貼付され、剥離紙２６が貼付されていない部分の粘着剤露出部分が仮貼り付け部２２ａとなる。剥離紙２６が表示ラベル２２に貼付された状態で、表示ラベル２２が包装用台紙１２の所定の位置に貼付される。【選択図】図１
2015008857.tif 000002
【特許請求の範囲】
【請求項１】
収容物を収容し一面が開口した中空の突出部と前記突出部の周囲に設けられたフランジ部を有する成形体に、破断可能な封止材が取り付けられて前記突出部が閉鎖されているＰＴＰシートが取り付けられる包装用台紙において、
前記包装用台紙には、前記突出部が嵌合する透孔が形成され、
前記包装用台紙の裏面側に、前記ＰＴＰシートの前記封止材を覆うように表示ラベルが設けられ、
前記表示ラベルの外側面には、前記収容物に関する情報が表示され、前記表示ラベルの裏面側には粘着剤が設けられ、
前記表示ラベルの前記粘着剤が設けられた面の一部を除いて、剥離が容易な剥離紙が前記粘着剤面に貼付され、前記剥離紙が貼付されていない部分の前記粘着剤露出部分が仮貼り付け部となって、前記剥離紙が前記表示ラベルに貼付された状態で、前記表示ラベルが所定の位置に貼付されていることを特徴とする包装用台紙。
【請求項２】
前記表示ラベルが前記包装用台紙に貼付された状態で、前記ＰＴＰシートの前記突出部と対向する位置の前記表示ラベルには、前記収容物の取り出しを可能にする破断部が形成されている請求項１記載の包装用台紙。
【請求項３】
前記請求項１記載の包装用台紙の前記剥離紙を取り除いて、前記包装用台紙に前記ＰＴＰシートを取り付け、前記表示ラベルにより前記ＰＴＰシートを前記包装用台紙に固定して成ることを特徴とする包装体。
【発明の詳細な説明】
【技術分野】
【０００１】
この発明は、ＰＴＰシートを台紙に取り付けて包装するための包装用台紙と、その台紙を用いて包装したＰＴＰシート包装体に関する。
【背景技術】
【０００２】
従来、カプセル等の薬剤の包装技術としてＰＴＰ（Press Through Package）シートがある。ＰＴＰシートは、合成樹脂で作られたプラスチック成形体を有し、プラスチック成形体には、薬剤を収容する空間を形成した突出部と、突出部の周縁部に形成されたフランジ部が一体に成形されている。突出部が突出した側とは反対側の面のフランジ部に、アルミ箔などの破断可能な封止材であるシートが貼り付けられて、突出部の内側空間の開口が閉鎖され、薬剤を密閉している。
【０００３】
さらに、特に服用に注意を要する薬剤においては、このＰＴＰシートに紙製等の台紙を取付け、この台紙に、薬剤の飲み忘れを防ぐように日付を記入する欄や、薬剤の情報や使用上の注意などを印刷したものがある。この台紙の構成として、特許文献１，２に開示されているように、折りたたみ式の台紙にＰＴＰＰシートの突出部が嵌合する透孔と、薬剤と取り出す透孔とを互いに対向させて形成し、台紙に挟んだＰＴＰシートから薬剤を取り出し可能とするとともに、台紙表面に種々の記述が印刷された包装体が用いられている。
【０００４】
その他、特許文献３に開示されているように、各々透孔が形成され、１枚の台紙にＰＴＰシートを挟んで粘着シートを貼り合わせた包装体も提案されている。この粘着シートにも透孔が形成され、裏面には一面に粘着剤が設けられ、ＰＴＰシートを挟んで台紙に貼り付け可能に形成されている。この台紙と粘着シートにも、種々の記述が印刷され、多くの情報が表示されている。
【０００５】
その他、個別に分割したＰＴＰシートに薬剤が包装されたまま誤飲してしまう事故を防止するために、特許文献４に開示されているように、ＰＴＰシートを二つ折りの台紙で挟持し、この台紙の一方の側には透孔が形成され、薬剤を取り出す開口側の面を破断線の付いた台紙で覆った包装体も用いられている。
【先行技術文献】
【特許文献】
【０００６】
【特許文献１】特開２００１−７０４０４号公報
【特許文献２】特開２００３−２２６３６０号公報
【特許文献３】特開２００７−３３０４０１号公報
【特許文献４】特開２００１−４６４６８号公報
【発明の概要】
【発明が解決しようとする課題】
【０００７】
上記特許文献１，２，４に開示されたように台紙でＰＴＰシートの両面を挟持する包装体の場合、台紙を二つ折りにしてその間にＰＴＰシートを挟み、さらに、二つ折りの台紙が自身の弾性で開いてしまわないように貼り合わせる必要がある。貼り合わせは、ホットメルト接着剤等を塗布して行うものであるが、ＰＴＰシートを挟持して位置合わせし、加熱処理する工程が必要があり、工程が複雑で、ＰＴＰシート内の薬剤に熱による悪影響が及ぶ恐れもあった。
【０００８】
また、特許文献３に開示された粘着シートで貼り合わせる場合、台紙と粘着シートの２枚の位置合わせが面倒であり、工数の掛かるものであった。さらに、この構造の一方の粘着シートを、引用例４のような誤飲防止用の覆いを形成したシートとし、破断線を破って薬剤を取り出す場合、さらに位置合わせに正確性が要求され、製造工数やコストがかかるものであった。
【０００９】
この発明は、上記背景技術の問題点に鑑みてなされたものであり、薬剤についての情報や服用管理のための日付等の印刷スペースを広く確保することができ、ＰＴＰシートの取り付けも容易であり、安全に使用可能な包装用台紙とＰＴＰシート包装体を提供することを目的とする。
【課題を解決するための手段】
【００１０】
この発明は、収容物を収容し一面が開口した中空の突出部と前記突出部の周囲に設けられたフランジ部を有する成形体に、破断可能な封止材が取り付けられて前記突出部が閉鎖されているＰＴＰシートが取り付けられ包装用台紙であって、前記包装用台紙には、前記突出部が嵌合する透孔が形成され、前記包装用台紙の裏面側に、前記ＰＴＰシートの前記封止材を覆うように表示ラベルが設けられ、前記表示ラベルの外側面には、前記収容物に関する情報が表示され、前記表示ラベルの裏面側には粘着剤が設けられ、前記表示ラベルの前記粘着剤が設けられた面の一部を除いて、剥離が容易な剥離紙が貼付され、前記剥離紙が貼付されていない部分の前記粘着剤露出部分が仮貼り付け部となって、前記剥離紙が前記表示ラベルに貼付された状態で、前記表示ラベルが所定の位置に貼付されている包装用台紙である。
【００１１】
前記表示ラベルが前記包装用台紙に貼付された状態で前記ＰＴＰシートの前記突出部と対向する位置には、前記収容物の取り出しを可能にする破断部が形成されているものである。
【００１２】
またこの発明は、前記包装用台紙の前記剥離紙を取り除いて、前記包装用台紙に前記ＰＴＰシートを取り付け、前記表示ラベルにより前記ＰＴＰシートを前記包装用台紙に固定して成る包装体である。
【発明の効果】
【００１３】
この発明の包装体は、薬剤についての情報や服用管理のための日付等を包装用台紙と表示ラベルに印刷することができ、多くの情報を表示することができる。しかも、表示ラベルは、予め包装用台紙の製造工程で表示ラベルの一部を包装用台紙に貼り付けておくものであり、自動機により正確に迅速に表示ラベルを包装用台紙に取り付けることができる。
【００１４】
さらに、ＰＴＰシートの取り付けは、包装用台紙に貼り付けられた表示ラベルから剥離紙を剥がして、ＰＴＰシートを包装用台紙に取り付けることにより容易に行うことができ、包装体の形成を効率的に行うことができる。その他、この発明の表示ラベルには、破断部が形成されて、一定の力以上で薬剤の取り出しが可能であるとともに、容易には取り出せないように形成され、幼児が誤って飲んでしまうことを防止し、安全性が高いものである。
【図面の簡単な説明】
【００１５】
【図１】この発明の一実施形態の包装用台紙のラベルを示す正面図である。
【図２】この実施形態の包装用台紙の正面図（ａ）と包装体の正面図（ｂ）である。
【図３】この実施形態の包装体の表面側から見た斜視図である。
【図４】この実施形態の包装体の裏面側から見た斜視図である。
【発明を実施するための形態】
【００１６】
以下、この発明の実施形態について図面に基づいて説明する。図１〜図４はこの発明の一実施形態を示すもので、この実施形態の包装体１０は、紙製等の一枚のブランクシートを打ち抜いて個別に形成された厚紙の包装用台紙１２に、薬剤１５等の収容物を収容したＰＴＰシート１４が取り付けられたものである。
【００１７】
ＰＴＰシート１４は、合成樹脂を成形した形成された平板状のフランジ部１５と、フランジ部１５から一体に成形された中空の突出部１６を有した成形体を備え、突出部１６内の空間に薬剤１８が収納されている。ＰＴＰシート１４の裏面１４ａには、薬剤１８を収容後にアルミ箔等の破断可能な図示しない封止材が貼り付けられ、突出部１６内の空間が密封されている。
【００１８】
平板状に形成された包装用台紙１２は、図３に示すように、中央部の所定の位置にＰＴＰシート１４の突出部１６の配置に合わせて形成され、突出部１６が嵌合する透孔２０が形成されている。包装用台紙１２の表面１２ａには、薬剤１８の商品名や薬剤名、内容量、服用方法等が印刷されている。
【００１９】
包装用台紙１２の裏面１２ｂには、ＰＥ等の樹脂フィルムや紙、又はそれらが積層された合成紙等のシートにより形成された表示ラベル２２が貼り付けられている。表示ラベル２２は、裏面に粘着剤が設けられ、この粘着剤により、ＰＴＰシート１４の裏面１４ａに貼り付けられている。表示ラベル２２の表面にも、薬剤１８の商品名や薬剤名、内容量、服用方法等の表示が印刷されている。さらに、表示ラベル２２の中央部であって、包装用台紙１２の透孔２０と対面する位置には、断続した切り込み線から成る略円形の破断部である破断線２４が形成されている。表示ラベル２２は、ＰＴＰシート１４に貼り付けられる前の段階では、図１に示すように、表示ラベル２２の裏面の粘着剤が、一側縁部で一定の細い幅で露出した仮貼り付け部２２ａが設けられ、破断線２４が形成された部分を含むその他の裏面の粘着面には、剥離紙２６が貼り付けられている。そして、表示ラベル２２は、図２（ａ）に示すように、ＰＴＰシート１４が取り付けられる前の包装用台紙１２に、仮貼り付け部２２ａにより貼付されている。
【００２０】
次に、包装体１０の組立方法について説明する。まず、ＰＴＰシート１４が取り付けられる前の包装用台紙１２の裏面１２ｂに、剥離紙２６が粘着面に貼り付けられた表示ラベル２２の仮貼り付け部２２ａを貼付する。この時、包装用台紙１２の透孔２０の位置と、表示ラベル２２の破断線２４の位置を一致させて貼り付ける。この貼り付け作業は、表示ラベル２２への剥離紙２６の貼付から表示ラベル２２の包装用台紙１２への貼付まで、自動機械により行うことができ、表示ラベル２２を包装用台紙１２の所定位置に正確に貼付することができる。
【００２１】
この後、ＰＴＰシート１４を包装する工場等において、表示ラベル２２の剥離紙２６を開いて包装用台紙１２と表示ラベル２２との間にＰＴＰシート１４を挿入し、ＰＴＰシート１４の突出部１６を包装用台紙１２の透孔２０に嵌合し、突出部１６を包装用台紙１２の表面１２ａ側に突出させる。そして、表示ラベル２２の剥離紙２６を剥離して、粘着面を露出させ、包装用台紙１２の裏面１２ｂに取り付けられたＰＴＰシート１４の裏面全体を表示ラベル２２で覆うように、表示ラベル２２を包装用台紙１２に貼り付ける。この状態で、ＰＴＰシート１４は、表示ラベル２２に囲まれるように包装用台紙１２に貼り付けられる。
【００２２】
次に、包装体１０から薬剤１８を取り出すときは、ＰＴＰシート１４の突出部１６を包装用台紙１２の透孔２０側に押圧すると、薬剤１８がＰＴＰシート１４の裏面の封止材を破り、さらに表示ラベル２２が薬剤１８により押されて、破断線２４で表示ラベル２２が破れ、薬剤１８が取り出される。
【００２３】
この実施形態の包装体１０によれば、ＰＴＰシート１４の裏面の封止材が貼り付けられた面に、表示ラベル２２が貼付され、包装用台紙１２の表面及び貼付ラベル２２の表示面により、ＰＴＰシート１４を保持した状態で、薬剤１８に関する記述やその他の情報をより多く表示することができる。これらの情報が印刷された表示ラベル２２は、予め剥離紙２６とともに仮貼り付け部２２ａにより包装用台紙１２に貼付されているので、ＰＴＰシート１４を包装用台紙１２に取り付ける作業では、表示ラベル２２の貼付工程が不要であり、表示ラベル２２の貼付位置のずれもなく、正確な位置でＰＴＰシート１４を包装用台紙１２に取り付けて、表示ラベル２２で固定することができる。さらに、表示ラベル２２は、破断線２４により、薬剤１８の取り出し時に破断可能であるとともに、幼児には容易に取り出せないように構成することが可能であり、薬剤１８の服用の安全性を高めることができる。
【００２４】
なお、この発明の包装用台紙とＰＴＰシート包装体は、上記実施形態に限定されるものではなく、包装用台紙や表示ラベルの形状、透孔や破断線の数等は自由に変更可能である。さらに、破断部は適宜設けることができ、破断線以外に一定の範囲を破断しやすくした構造であれば良く、部分的に厚みを薄くしたり、強度を落とした材質したものでも良い。ＰＴＰシートに収容する収容物は、薬剤の他、健康食品や菓子等の食品でも良い。
【符号の説明】
【００２５】
１０  包装体
１２  包装用台紙
１４  ＰＴＰシート
１５  フランジ部
１６  突出部
１８  錠剤
２０  透孔
２２  表示ラベル
２２ａ  仮貼り付け部
２４  破断線
２６  剥離紙
【図１】
2015008857.tif 000003
【図２】
2015008857.tif 000004
【図３】
2015008857.tif 000005
【図４】
2015008857.tif 000006